(57)【特許請求の範囲】
【請求項１】
釣竿本体、この釣竿本体が挿通されるフロントグリップ及びリアグリップ並びにこのフロントグリップとリアグリップとの間に設けられておりその断面がＣ字状を呈しておりこの釣竿本体に嵌め込まれている外筒部材を備えており、
このフロントグリップとこのリアグリップとの間にある釣竿本体のうち、この外筒部材の間隙に露出した部分が載置面を形成しており、
この外筒部材とこの載置面とによってリールシートが構成されることを特徴とする釣竿。
【請求項２】
請求項１記載の釣竿において、
上記外筒部材の間隙の幅寸法は、釣用リールの脚部を間隙に嵌め込むことができる寸法に設定されていることを特徴とする釣竿。
【発明の詳細な説明】
【０００１】
【発明の属する技術の分野】
この発明は、釣竿に装着して使用するリールを支持するためのリールシートの構造に関するものである。
【０００２】
【従来の技術および発明が解決しようとする課題】
図６は、従来の釣竿のリールシート部分を示す図である。
【０００３】
この釣竿１では、釣竿本体２がグリップ３に挿通支持されており、グリップ３にはリールシート４が設けられている。グリップ３は、フロントグリップ５およびリアグリップ６を有し、リールシート４はこれらの間に配設されている。フロントグリップ５およびリアグリップ６には、それぞれフード８，９が設けられており、フロントグリップ５が矢印７の方向に沿ってスライドすることができるようになっている。そして、リールの脚部をリールシート４のリール載置面１０に当接させた状態でフロントグリップ５をリールシート４側へスライドさせると、フード８，９間にリールの脚部が挟持され、リールは支持されるようになっている。
【０００４】
図７は、図６におけるＡ−Ａ断面図であり、リールシート４の断面構造を示している。
【０００５】
同図に示すように、リールシート４は、円筒状の部材の一部を軸方向に切断して形成されており、この切断面が上記リール載置面１０を構成している。なお、参照符号１１は、釣竿本体２を支持するスリーブを示している。
【０００６】
このようにしてリール載置面１０を形成すると、当然にリール載置面１０の肉厚ｔが薄くなる。しかも、釣竿１に付加価値を付けて商品性を向上させるために、リールシート４をたとえばプライウッド等により構成したい場合があるが、プライウッド等は温度変化に対する強度が低い。そのため、たとえば室内で釣竿を準備し、それを寒冷地の屋外（釣り場）で使用した場合等には、その温度変化によって上記肉厚ｔの部分が破損（割れ）してしまうおそれがある。
【０００７】
加えて、釣竿１の操作性等（握り易さ等）を考慮すれば、リールシート４の外径寸法Ｄの範囲は自ずと決定されることから、釣竿本体２の外径をあまり大きくすることができない。なぜなら、リールシート４の外径Ｄが決まれば、釣竿本体２の外径を大きくすると上記肉厚ｔがきわめて薄くなってしまうからである。
【０００８】
つまり、従来においては、手触りや高級感等の付加価値を付けるためにリールシート４をプライウッド等により構成したいという要請があるが、そのためにリールシートが損傷するおそれがあると共に、外径の大きい釣竿本体を採用することが事実上不可能であるという不都合があった。
【０００９】
そこで、本発明の目的は、プライウッド等の機械的強度の低い材質で構成しつつ、その損傷を防止して外径の大きい釣竿本体にも適用することができるリールシートを提供することである。
【００１０】
【課題を解決するための手段】
(1)  リールシートが上述のように損傷する原因は、プライウッド等の機械的強度の低い材質で構成したこと、および釣竿本体を挿通支持するために肉厚が薄くなってしまい、そのために当該薄肉部分に大きな応力が生じてしまうことに起因することは明らかである。そのため本願発明者は、リールシートの形状ないし構造において、そもそも大きな応力が発生する薄肉部分を無くすことができれば、リールシートの損傷という不都合は起こり得ないと考えた。
【００１４】
(2)  そこで、本願に係る釣竿は、釣竿本体、この釣竿本体が挿通されるフロントグリップ及びリアグリップ並びにこのフロントグリップとリアグリップとの間に設けられておりその断面がＣ字状を呈しておりこの釣竿本体に嵌め込まれている外筒部材を備えており、このフロントグリップとこのリアグリップとの間にある釣竿本体のうち、この外筒部材の間隙に露出した部分が載置面を形成しており、この外筒部材とこの載置面とによってリールシートが構成されることを特徴とするものである。
【００１５】
この構成によれば、釣用リールの脚部を載置面に載置することによって、釣用リールを装着することができる。このとき、釣竿本体はフロントグリップ及びリアグリップにより支持されており、釣用リールの脚部は釣竿本体の外面上に載置されることになる。また、外筒部材は釣竿本体に嵌め込まれているのみであり、外筒部材は釣竿本体の外面を装飾する部材として機能する。
【００１６】
したがって、外筒部材は釣竿本体を支持する機能を有しないため、剛性等の機械的強度を担保する必要がなく、きわめて薄肉に形成することができる。しかも、外筒部材は間隙が設けられた断面Ｃ字状に形成されており、いわゆる開断面形状となっていることから、温度変化による変形が容易であり、大きな応力が発生することがない。
【００１７】
(3)  特に、上記外筒部材の間隙の幅寸法を、釣用リールの脚部を間隙に嵌め込むことができる寸法に設定することができる。
【００１８】
このようにすれば、釣用リールの脚部を載置面に載置した状態で、当該脚部と外筒部材との干渉を避けることができる。これにより、外筒部材の損傷等を確実に防止することができる。
【００２０】
かかる構成の釣竿では、上述したように、リールシート部分にプライウッド等の機械的強度の低い材質を採用してもその損傷を防止することができ、また、外径の大きい釣竿本体を採用することができる。
【００２１】
【発明の実施の形態】
以下、本発明の実施の形態について説明する。
＜第１の実施形態＞
図１は、本発明の第１の実施形態に係る釣竿１０の要部拡大正面図である。
【００２２】
この釣竿１０は、たとえばルアーロッドとして構成されており、釣竿本体１１と、グリップ１２と、リールシート１３とを備えている。
【００２３】
グリップ１２は、実釣時において釣人が把持する部分であって、フロントグリップ１４およびリアグリップ１５を備えている。そして、これらの間にリールシート１３が設けられている。このリールシート１３は、釣用のリール（図示せず）を装着・固定するためのものである。
【００２４】
フロントグリップ１４の後端およびリアグリップ１５の先端にはそれぞれ、リールの脚部の前方側および後方側を固定するためのフロントフード１６およびリアフード１７が設けられている。つまり、リールシート１３は、これらフロントフード１６およびリアフード１７によって挟み込まれるようにして配設されている。また、リアグリップ１５の先端部にはねじ軸部１８が形成されており、この部分にナット１９，２０が螺合されている。
【００２５】
このため、ナット１９を所定方向へ回転させると、リアフード１７がリールシート１３側へスライドするようになっている。したがって、リールシート１３にリールの脚部を載置した状態でナット１９を回転させることによって、フロントフード１６とリアフード１７とによってリールの脚部を挟持することができるようになっている。また、ナット１９を反所定方向へ回転させることによってリアフード１７をリールシート１３と反対側へスライドさせることができるので、リールをリールシート１３から取り外すことができる。なお、ナット２０は、ナット１９の緩みを防止するロックナットとして機能している。これらナット１９，２０の外周面には、滑り止めのためのローレットを形成することもできる。
【００２６】
釣竿本体１１は、フロントグリップ１４側からグリップ１２の内部に挿通されて支持されている。釣竿本体１１は、細長棒状に形成され、たとえばカーボン繊維を筒状に形成する等、公知の要領で製造することができる。なお、図示していないが、釣竿本体１１の所要の位置には、釣糸を案内するガイド部材が適宜配設されている。
【００２７】
図２は、釣竿１０の要部拡大斜視図であり、リールシート１３の構造を詳細に示している。また、図３は、図２におけるＢ−Ｂ断面図である。
【００２８】
これらの図に示すように、リールシート１３は二重の筒状に形成されており、内筒部材（リール載置部）２１と、外筒部材（筒状部材）２２とを備えている。
【００２９】
内筒部材２１は、図に示すような断面円形の部材であって、たとえばナイロン、ポリブチレンテレフタレート、アクリロニトリル／ブタジエン／スチレン樹脂（ＡＢＳ樹脂）等により形成することができる。この内筒部材２１の両端は、上記フロントグリップ１５およびリアグリップ１６に連結されている。上記釣竿本体１１は、この内筒部材２１に挿通され支持されている。
【００３０】
外筒部材２２は、図に示すような断面Ｃ字状に形成されている。すなわち、外筒部材２２は、全体として円筒状に形成されているが、軸方向に沿って間隙２３が形成されている。この間隙２３は、外筒部材２２の径方向に貫通している。この外筒部材２２は、内筒部材２１の外側に嵌め込まれている。したがって、上記間隙２３部分には、内筒部材２１の外周面が露出している。そして、この外周面によって、リールの脚部が当接・載置される載置面２４が構成されている。
【００３１】
なお、内筒部材２１の外周面の一部を特別の形状に形成し、この部分を載置面として構成することもできる。この場合、「特別の形状」とは、外周面の曲率半径を特定の数値に設定し、リールの脚部を載置しやすく形成すること等が考えられる。そして、その場合には、載置面と外筒部材２２の間隙２３とが対向するように、当該外筒部材２３を内筒部材２１に取り付けることができる。
【００３２】
外筒部材２２の間隙２３の幅寸法ｄは、１５ｍｍ〜１７ｍｍに設定することができる。もっとも、この寸法ｄはなんら限定される必要はないが、あえてかかる寸法に設定することによって、一般に市販されているすべてのリールの脚部が、この間隙２３に嵌め込むことができるという利点がある。
【００３３】
外筒部材２２は、プライウッド等により構成されている。もっとも、外筒部材２２の材質はなんら限定される必要はないが、プライウッド等を採用して外筒部材２２を木製とすることによって、リールシート１３自体を高級感のあるものに仕上げることができるという利点がある。
【００３４】
本実施形態に係る釣竿１０では、次のようにしてリールを取り付けることができる。
【００３５】
図１および図２を参照して説明する。まず、ナット１９，２０を回転させて、フロントフード１６とリアフード１７との距離を大きくする。そして、リールの脚部を上記載置面２４上に当接させ、その状態でナット１９，２０を締め込む。これにより、フロントフード１６とリアフード１７との間でリールの脚部が挟持され、リールが釣竿１０に装着される。
【００３６】
このとき、釣竿本体１１は内筒部材２１によって支持され、外筒部材２２は内筒部材２１を囲繞するように取り付けられているのみである。つまり、外筒部材２２は、内筒部材２１の外面を装飾する部材として機能している。
【００３７】
したがって、内筒部材２１は、その外観の善し悪しを特に考慮することなく釣竿本体１１を確実に支持するという機能を確保することのみに重点をおいて設計することができる。たとえば、本実施形態では、内筒部材を上記材料で構成しているから、内筒部材２１の肉厚ｔ１は、０．５ｍｍ〜１．０ｍｍという薄肉に設定することができる。
【００３８】
また、外筒部材２２については、釣竿本体１１を支持する機能を有しないため剛性等の機械的強度を担保する必要がなく、きわめて薄肉に形成することができる。本実施形態では、外筒部材２２の肉厚ｔ２は、１．５ｍｍ〜３．０ｍｍに設定することができる。しかも、外筒部材２２は、図に示すような断面Ｃ字状に形成されており、いわゆる開断面形状となっている。このため、外筒部材２２は、温度変化による変形が容易であり、大きな応力が発生することがない。すなわち、従来のように、外筒部材を閉断面形状とすると、肉厚の薄い部分に大きな応力が発生していたが、本実施形態のように、外筒部材２２を開断面形状とすることによって、そのような大きな応力が発生する薄肉部分が存在しない。
【００３９】
その結果、外筒部材の肉厚ｔ２を上述のようにきわめて薄肉に設定したとしても、外筒部材２２に亀裂等が生じることがない。また、内筒部材２１の肉厚ｔ１を上述のように設定することができるので、支持する釣竿本体１１の外径を大きくすることができる。詳述すると、釣竿１０の操作性等を考慮した場合、リールシート１３部分全体の外径寸法は、一定の範囲内に限定されてしまうので、内筒部材２１の外径も一定の寸法以下に制限されてしまう。しかし、内筒部材２１の肉厚ｔ１を薄くすることによって、相対的に大径の釣竿本体１１を挿通支持することが可能となる。
【００４０】
よって、本実施形態に係る釣竿１０では、リールシート１３の強度設計において内筒部材２１を機械的強度の高い材料を選定することにより、リールシート１３全体の外径を小さくすることが可能であり、デザイン上の自由度が向上する。しかも、外筒部材２２は開断面形状を呈しているから温度変化等による破損のおそれがなく、外筒部材２２をたとえばプライウッド等により構成することができるので、リールシート１３を手触りの良い高級感のあるものに仕上げることができる。
【００４１】
特に本実施形態では、外筒部材２２の間隙２３の幅寸法ｄを上述の寸法に設定し、リールの脚部を間隙２３に嵌め込むようにしているので、リールの脚部と外筒部材２２との干渉を避けることができ、これにより、筒状部材の損傷等を確実に防止することができる。しかも、リールの装着位置を低く、すなわち、装着したリールの位置を釣竿１０の中心に近づけることができるので、実釣における釣竿１０の操作性を向上させることができる。
＜第２の実施形態＞
次に、本発明の第２の実施形態について説明する。
【００４２】
図４は、本発明の第２の実施形態に係る釣竿３０の要部拡大正面部である。また、図５は、図４におけるＢ−Ｂ断面図である。
【００４３】
本実施形態に係る釣竿３０が上記第１の実施形態に係る釣竿１０と異なるところは、釣竿１０では、釣竿本体１１を内筒部材２１（図２参照）により支持する構造であるのに対し、釣竿３０では、内筒部材２１を設けずに、釣竿本体３１をグリップ１２によって支持する構造となっており、そのために、外筒部材３２は、釣竿本体３１に嵌め込まれている点である。なお、釣竿３０のその他の構成については釣竿１０と同様であるので、同様の参照符号を付してその説明を省略する。
【００４４】
釣竿本体３１は、図１で示した釣竿本体１１よりも大径に構成されており、釣竿本体１１と同様に製作することができる。本実施形態では、釣竿本体３１はグリップ１２によって支持されており、釣竿本体３１の一部３３がリールシート１３の一部を構成している。
【００４５】
すなわち、本実施形態では、釣竿本体３１の一部３３と、外筒部材３２とによりリールシート１３が構成されており、釣竿本体３１の一部３３の外周面が、リールを載置する載置面２４を兼ねている。また、外筒部材３２は、上記第１の実施形態で示したと同様に断面Ｃ字状に形成されており、プライウッド等を使用して構成することができる。
【００４６】
本実施形態に係る釣竿３０では、釣竿本体３１がグリップ１２により支持されており、リールシート１３全体の外径を釣人が握りやすい寸法に設定しながら、釣竿本体３１の外径をきわめて大きなものとすることができる。
【００４７】
しかも、リールシート１３には外筒部材３２が設けられており、これが釣竿本体３１に嵌め込まれているので、外筒部材３２には機械的強度（剛性等）が要求されない。したがって、外筒部材３２はきわめて薄肉に形成することができ、亀裂等が生じるおそれがない。
【００４８】
よって、本実施形態に係る釣竿３０では、リールシート１３の設計においてデザイン上の自由度が向上する。しかも、外筒部材３２は断面Ｃ字状を呈しているから温度変化等による破損のおそれがなく、外筒部材３２をプライウッド等により構成した場合には、リールシート１３を手触りの良い高級感のあるものに仕上げることができる。
【００４９】
また、上記第１の本実施形態と同様に、外筒部材３２の間隙２３の幅寸法ｄを上述の寸法に設定し、リールの脚部を間隙２３に嵌め込むようにしているので、リールの脚部と外筒部材２２との干渉を避けることができ、これにより、筒状部材の損傷等を確実に防止することができる。しかも、リールの装着位置を低く、すなわち、装着したリールの位置を釣竿３０の中心に近づけることができるので、実釣における釣竿３０の操作性をさらに向上させることができる。
【００５０】
【発明の効果】
以上のように本発明によれば、釣竿本体はリール載置部により支持され、これを筒状部材によって外観の装飾を行うことができる。したがって、リール載置部を機械的強度の高い材料で構成することにより、リール載置部の外径をそれほど大きくすることなく大径の釣竿本体をも支持することができるうえ、筒状部材も薄肉に形成することができる。
【００５１】
その結果、リールシートの強度設計においてリールシート全体の外径を小さくすることが可能であり、デザイン上の自由度が向上する。しかも、筒状部材は開断面形状を呈しているから温度変化による破損のおそれがなく、筒状部材をたとえばプライウッド等により構成することができ、リールシートを手触りがよく高級感のあるものに仕上げることができる。
【図面の簡単な説明】
【図１】本発明の第１の実施形態に係る釣竿の要部拡大正面図である。
【図２】釣竿の要部拡大斜視図である。
【図３】図２におけるＢ−Ｂ断面図である。
【図４】本発明の第２の実施形態に係る釣竿の要部拡大正面図である。
【図５】図４におけるＢ−Ｂ断面図である。
【図６】従来の釣竿のリールシート部分を示す図である。
【図７】図６におけるＡ−Ａ断面図である。
【符号の説明】
１０  釣竿
１１  釣竿本体
１２  グリップ
１３  リールシート
１４  フロントグリップ
１５  リアグリップ
２１  内筒部材
２２  外筒部材
２３  溝
２４  載置面
３０  釣竿
３１  釣竿本体
３２  外筒部材
３３  釣竿本体の一部
【図１】
0003973945.tif 000002
【図２】
0003973945.tif 000003
【図３】
0003973945.tif 000004
【図４】
0003973945.tif 000005
【図５】
0003973945.tif 000006
【図６】
0003973945.tif 000007
【図７】
0003973945.tif 000008